(57)【特許請求の範囲】
【請求項１】
電子機器を保持するための保持部を有するブラケット本体と、このブラケット本体に板ばねを介して回転自在に取付けられ折曲げ片を有するロータリプレートと、このロータリプレートに取付けたコネクタの一方とからなるブラケット組立体と、
前記保持部に嵌合する取付け孔と、前記ロータリプレートの折曲げ片に嵌合する位置合せ孔と、前記コネクタの一方に嵌合するコネクタの他方とからなる前記電子機器とを有し、
前記ブラケット組立体と前記電子機器との相対回転により両者を結合してなることを特徴とする電子機器の取付け構造。
【発明の詳細な説明】
【０００１】
【発明の属する技術分野】
本発明は電子機器の取付け構造の改良に関する。
【０００２】
【従来の技術】
図１０は従来の電子機器の天井取付け構造の斜視図である。
従来の電子機器の天井取付け構造１００は、電子機器１１０と天井ブラケット組立体１２０とからなる。
電子機器１１０は、先端が半球で筒状の本体部１１１と、この本体部１１１の天面に開けたハーネス引出し孔１１２，１１２と、これらのハーネス引出し孔１１２，１１２から引出したワイヤハーネス１１３，１１３と、これらのワイヤハーネス１１３，１１３の先端に取付けたコネクタプラグ１１４，１１４と、本体部１１１の天面に設けた引掛け凸部１１５…（…は複数個を示す。以下同じ。）とからなる。
【０００３】
天井ブラケット組立体１２０は、天井に取付けるブラケット本体１２１と、このブラケット本体１２１に取付けたコネクタソケット１２２，１２２と、これらのコネクタソケット１２２，１２２の側面近傍に設けた端子台１２３と、ブラケット本体１２１に開けた鍵穴形状の保持孔１２４…と、ブラケット本体１２１に設けた凹部１２５…と、この凹部１２５…に開けたねじ孔１２６…と、ブラケット本体１２１に設けたＵ字切欠１２７とからなる。
なお、１２８…は天井ブラケット組立体１２０の取付けねじであり、１２９…は図示せぬ電源及び制御機器からの配線である。
コネクタソケット１２２，１２２と端子台１２３とは、電気的に接続してあるので、電源及び制御機器からの信号はコネクタソケット１２２，１２２まで到達している。
天井に取付けた天井ブラケット組立体１２０に、電子機器１１０を取付ける手順について説明する。
【０００４】
電子機器１１０の本体部１１１を保持して、天井ブラケット組立体１２０のコネクタソケット１２２，１２２にコネクタプラグ１１４，１１４を接続する。
次に、天井ブラケット組立体１２０の保持孔１２４…に電子機器１１０の引掛け凸部１１５…を挿入する。
そして、本体部１１１を図面右方向へ回転し、取付け作業を完了する。
【０００５】
【発明が解決しようとする課題】
しかし、天井ブラケット組立体１２０に電子機器１１０を取付ける際、片手で電子機器１１０の本体部１１１を保持して、空いているほうの手でコネクタソケット１２２，１２２にコネクタプラグ１１４，１１４を接続する必要があり、この接続作業は熟練を要する。
また、電子機器１１０の引掛け凸部１１５…の挿入時、又は本体部１１１の回転時に、ワイヤハーネス１１３，１１３を噛み込む虞れがある。最悪の場合には、ワイヤハーネス１１３，１１３を切断したり、電子機器１１０を故障させてしまうこともある。
【０００６】
そこで、本発明の目的は電子機器が取付けしやすく、接続の信頼性の高い電子機器の取付け構造を提供することにある。
【０００７】
【課題を解決するための手段】
上記課題を解決するために請求項１は、電子機器を保持するための保持部を有するブラケット本体と、このブラケット本体に板ばねを介して回転自在に取付けられ折曲げ片を有するロータリプレートと、このロータリプレートに取付けたコネクタの一方とからなるブラケット組立体と、保持部に嵌合する取付け孔と、ロータリプレートの折曲げ片に嵌合する位置合せ孔と、コネクタの一方に嵌合するコネクタの他方とからなる電子機器とで構成し、ブラケット組立体と前記電子機器との相対回転により両者を結合してなる電子機器の取付け構造である。
【０００８】
ブラケット組立体のロータリプレートに取付けたコネクタソケットに電子機器に取付けたコネクタプラグを接続し、電子機器を回転することでブラケット組立体に電子機器を取付けることができる。
従って、ブラケット組立体と電子機器との電気的接続にワイヤハーネス配線をなくしたので、電子機器が取付けしやすく、接続の信頼性が高い。
【０００９】
【発明の実施の形態】
本発明の実施の形態を添付図に基づいて以下に説明する。
図１は本発明に係る電子機器の取付け構造の斜視図である。
電子機器の取付け構造としての電子機器の天井取付け構造１は、電子機器１０と、ブラケット組立体としての天井ブラケット組立体２０とからなる。
電子機器１０は、３６０度の角度範囲を監視可能とするように、例えば４台のカメラを９０度の角度範囲で内蔵してなり、先端が半球で筒状の本体部１１と、この本体部１１の上面１１ａ外周に設けた取付け孔１２…と、本体部１１の上面に中央付近に設けた位置合せ孔１３…と、本体部１１の上面に中央に設けたコネクタ孔１４と、このコネクタ孔１４内に臨むようにその内部に突出させカメラからの電気信号を取り出す多数の端子を有するコネクタの他方であるコネクタプラグ１５とからなる。
なお、１２ａは取付け孔１２の挿入部、１２ｂは取付け孔１２の引掛け部である。
【００１０】
天井ブラケット組立体２０は、電気信号の中継のための基板ユニット２１と、ブラケット本体２２と、このブラケット本体２２に板ばね２３を介して回転自在に取付けた、ロータリプレート２４とからなる。
なお、２５…はブラケット組立体２０の取付けねじ、２６は図示せぬ電源及び制御機器からの配線である。
【００１１】
図２は本発明に係る電子機器の取付け構造の天井ブラケット組立体の分解斜視図である。
基板ユニット２１は、矩形の基板２７と、この基板２７に載せた端子台２８とこの端子台２８斜め下方に位置し基板２７に載せたコネクタの一方であるコネクタソケット２９と、基板２７に開けた取付け孔３１とからなる。３２は基板２７の取付けねじである。
ブラケット本体２２は、円盤状を呈し（図１参照）上記取付け孔１２と対応し、これを保持するように外周にて折り曲げ垂下した保持部（実施例では３個）３３…と、これらの保持部３３…の間に設けたボス部３４…と、これらのボス部３４…のセンタに開けたねじ孔３５…と、ブラケット本体２２の中央付近にて、上記板ばね２３及びロータリプレート２４の板厚分の総和を収納出来るように突出させた段差部３７と、この段差部３７側面に設けた等配の円弧状の開口部（３個）３８…と、この開口部３８…近傍に設けたストッパ凸部３９…と、段差部３７の上面に設けた切欠片４２…と、段差部３７の上面に開けた貫通孔４３とからなる。
なお、３８ａは後述するロータリプレートの翼部を挿通するための開口部３８に形成した挿入孔部、３８ｂは開口部３８の側壁孔部である。
【００１２】
板ばね２３は、平面視リング状を呈し、リング状の外周に設けたばね片４５…と、リング状の内周に設けた切欠部４６…と、リング状の内周に設けた弓状のばね部４７…とからなる。
ロータリプレート２４は、円形の外周を有する本体部４９と、この本体部４９から半径方向に放射状に突出させた翼部５１…と、これらの翼部５１…の根元付近に設けた第１切欠部５２…と、これらの第１切欠部５２…に対し円周方向に隔たって設けた第２切欠部５３…と、これらの第２切欠部５３…に連続して折り曲げ垂下した折曲げ片５４…と、本体部４９の外周付近に設けて円周方向に延在する長孔５５…と、この長孔５５…の長手方向近傍に設けた凸部５６…と、本体部４９の中央に設けた矩形の貫通孔５７と、この貫通孔５７から上方に突出するごとく折り曲げ形成した基板取付け部５８と、この取付け部５８に開けた取付け孔５９とからなる。
なお、長孔５５…はロータリプレート２４が回転するために、ブラケット本体２２の切欠片４２…を案内するガイド孔であり、５１ａ…は翼部５１の下面に突出形成した凸部であり、上記ロータリプレート２４の凸部５６と係合してストッパの役目をするものである。
【００１３】
次に天井ブラケット組立体の組立手順について説明する。
図３（ａ），（ｂ）は本発明に係る電子機器の取付け構造の天井ブラケット組立体の組立手順を示す第１説明図であり、（ａ）は平面図を示し、（ｂ）は（ａ）のｂ−ｂ線断面図を示す。
（ａ）は、ブラケット本体２２の切欠片４２…と板ばね２３の切欠部４６…とを嵌合させ段差部３７の内側に板ばね２３を収納する。
（ｂ）において、板ばね２３はブラケット本体２２に保持されないので作業者が保持をしておく。
【００１４】
図４（ａ），（ｂ）は本発明に係る電子機器の取付け構造の天井ブラケット組立体の組立手順を示す第２説明図であり、（ａ）は平面図を示し、（ｂ）は（ａ）のｂ−ｂ線断面図を示す。
（ａ）は、ブラケット本体２２の開口部３８…の挿入孔部３８ａにロータリプレート２４の翼部５１…を挿入する如く位置合せを行ない、先工程で収納した板ばね２３を介してブラケット本体２２の段差部３７にロータリプレート２４を収納する。
（ｂ）において、板ばね２３及びロータリプレート２４は、ブラケット本体２２に保持されないので作業者が保持をしておく。
【００１５】
図５（ａ），（ｂ）は本発明に係る電子機器の取付け構造の天井ブラケット組立体の組立手順を示す第３説明図であり、（ａ）は平面図を示し、（ｂ）は（ａ）のｂ−ｂ線断面図を示す。
（ａ）は、ロータリプレート２４を矢印▲１▼方向に回転し、ブラケット本体２２に板ばね２３及びロータリプレート２４を保持した状態を示す。
（ｂ）において、ロータリプレート２４の翼部５１が開口部３８の挿入孔部３８ａから側壁孔部３８ｂに移動するため、板ばね２３及びロータリプレート２４は、ブラケット本体２２に保持される。このとき、板ばね２３のばね片４５先端とロータリプレート２４の第１切欠部５２とが嵌合することで、ロータリプレート２４はブラケット本体２２に位置決めされる。
【００１６】
図６は本発明に係る電子機器の取付け構造の天井ブラケット組立体の組立手順を示す第４説明図であり、天井ブラケット組立体の平面図を示す。
ロータリプレート２４の取付け部５８に取付けねじ３２で基板ユニット２１を取付けた状態を示す。
ロータリプレート２４に基板ユニット２１を取付けたのでロータリプレート２４の回転に従って、基板ユニット２１も回転可能である。
【００１７】
以上述べた電子機器の取付け構造の作用を次に説明する。
図７（ａ），（ｂ）は本発明に係るの電子機器の天井取付け構造の第１作用説明図である。
（ａ）において、電子機器１０を矢印▲２▼の方向へ押上げロータリプレート２４上のコネクタソケット２９にコネクタプラグ１５を接続することで、位置合せ孔１３…と折曲げ片５４…とが嵌合し、取付け孔１２…と保持部３３…とが嵌合する。位置合せ孔１３…と折曲げ片５４…とが嵌合しているので、電子機器１０の回転にともない、ロータリプレート２４も同時に回転可能である。
従って、電子機器１０はコネクタソケット２９にコネクタプラグ１５を接続した状態で、回転することができるので、接続端子の数に関係なく電気的な接続及び機械的な接続が可能になる。
（ｂ）は、（ａ）の状態の取付け孔１２と保持部３３との嵌合状態を示し、保持部３３は取付け孔１２の挿入部１２ａにあることを示す。
【００１８】
図８（ａ），（ｂ）は本発明に係るの電子機器の取付け構造の第２作用説明図である。
（ａ）は、電子機器１０を矢印▲３▼の方向へ回転し、天井ブラケット組立体２０に電子機器１０をロックする。
（ｂ）は、（ａ）の状態の取付け孔１２と保持部３３との嵌合状態を示し、保持部３３は取付け孔１２の引掛け部１２ｂに移動し、保持部３３と取付け孔１２とは、結合したことを示す。
【００１９】
図９（ａ），（ｂ）は本発明に係るの電子機器の取付け構造の第３作用説明図であり、（ａ）は平面図を示し、（ｂ）は（ａ）のｂ−ｂ線断面図を示し、図８（ａ）に示したロック状態のブラケット本体２２、板ばね２３及びロータリプレート２４の位置関係を示す。
（ａ）において、電子機器１０を矢印▲４▼の如く回転すると、ロータリプレート２４も矢印▲４▼の方向へ回転する。
（ｂ）において、ロータリプレート２４は矢印▲５▼の方向へ移動するため、板ばね２３のばね片４５先端は、第１切欠部５２から第２切欠部５３に移動する。また、翼部５１の凸部５１ａはブラケット本体２２のストッパ凸部３９を乗り越え、ロータリプレート２４はロックされる。
【００２０】
尚、本実施例では電子機器の取付け構造として、天井に取付けるタイプの電子機器の取付け構造について説明したが、電子機器の取付けを天井に限定するものではなく、例えば、取付け場所は壁、床、又は専用保持ステイであってもよい。
【００２１】
【発明の効果】
本発明は上記構成により次の効果を発揮する。
請求項１は、電子機器を保持するための保持部を有するブラケット本体と、このブラケット本体に板ばねを介して回転自在に取付けられ折曲げ片を有するロータリプレートと、このロータリプレートに取付けたコネクタの一方とからなるブラケット組立体と、保持部に嵌合する取付け孔と、ロータリプレートの折曲げ片に嵌合する位置合せ孔と、コネクタの一方に嵌合するコネクタの他方とからなる電子機器とで構成し、ブラケット組立体と前記電子機器との相対回転により両者を結合してなる電子機器の取付け構造である。
ブラケット組立体のロータリプレートに取付けたコネクタソケットに電子機器に取付けたコネクタプラグを接続し、電子機器を回転することでブラケット組立体に電子機器を取付けることができ、ブラケット組立体と電子機器との電気的接続に配線をなくしたので、電子機器が取付けしやすく、接続の信頼性が高い。
【図面の簡単な説明】
【図１】本発明に係る電子機器の取付け構造の斜視図
【図２】本発明に係る電子機器の取付け構造の天井ブラケット組立体の分解斜視図
【図３】本発明に係る電子機器の取付け構造の天井ブラケット組立体の組立手順を示す第１説明図
【図４】本発明に係る電子機器の取付け構造の天井ブラケット組立体の組立手順を示す第２説明図
【図５】本発明に係る電子機器の取付け構造の天井ブラケット組立体の組立手順を示す第３説明図
【図６】本発明に係る電子機器の取付け構造の天井ブラケット組立体の組立手順を示す第４説明図
【図７】本発明に係るの電子機器の取付け構造の第１作用説明図
【図８】本発明に係るの電子機器の取付け構造の第２作用説明図
【図９】本発明に係るの電子機器の取付け構造の第３作用説明図
【図１０】従来の電子機器の天井取付け構造の斜視図
【符号の説明】
１…電子機器の取付け構造（電子機器の天井取付け構造）、１０…電子機器、１２…取付け孔、１３…位置合せ孔、１５…コネクタ（コネクタプラグ）、２０…ブラケット（天井ブラケット）、２２…ブラケット本体、２３…板ばね、２４…ロータリプレート、２９…コネクタ（コネクタソケット）、３３…保持部、５４…折曲げ片。
【図１】
0003772424.tif 000002
【図２】
0003772424.tif 000003
【図３】
0003772424.tif 000004
【図４】
0003772424.tif 000005
【図５】
0003772424.tif 000006
【図６】
0003772424.tif 000007
【図７】
0003772424.tif 000008
【図８】
0003772424.tif 000009
【図９】
0003772424.tif 000010
【図１０】
0003772424.tif 000011